(57)【特許請求の範囲】
【請求項１】
扉開閉槓杆と、該扉開閉槓杆に連動する扉爪と、凸起している押棒と、からなる電気機器箱体の扉の扉爪を掛止するために設けられた扉爪掛止装置において、扉を閉めることにより該扉爪が開口部に入り、該扉開閉槓杆を閉位置に移動することにより該扉爪によって扉爪収納部が移動し該開口部で該扉爪が掛止され、又扉を閉めることにより該押棒が押釦部を押し、そして該押釦部に連動する開閉器が、ＯＦＦからＯＮになり、該ＯＮが電気機器の制御基板に送信継続し、かつ電気機器の仕事の開始受付時は該制御基板から可動鉄芯吸引型電磁石が励磁制御され、そして該可動鉄芯が吸引されることによりハートカムを有する掛止本体が移動し、紐類が結ばれた手動解除槓杆に挿通された掛止ピンが該ハートカムの定位置で掛止されると共に該掛止本体が該扉爪収納部を掛止して該扉爪の挿脱を不可能とし、又該掛止本体の移動に連動する吸引確認用転換器が、例えば、ＯＦＦからＯＮになり、該ＯＮが該制御基板に送信されることにより該制御基板から該可動鉄芯吸引型電磁石が消磁制御され、そして電気機器の仕事の完了後は該制御基板から再度該可動鉄芯吸引型電磁石が励磁制御され、そして該可動鉄芯が吸引されることによりハートカムを有する掛止本体が移動し、該掛止ピンがハートカムから開放されると共に該掛止本体が該扉爪収納部を開放して該扉爪の挿脱を可能とし、又該掛止本体の移動に連動する吸引確認用転換器が該ＯＮからＯＦＦになり、該ＯＦＦが該制御基板に送信されることにより該制御基板から該可動鉄芯吸引型電磁石が消磁制御されることを特徴とする電気機器箱体の扉用扉爪掛止装置。
【請求項２】
扉を閉めることにより扉爪が開口部に入り、扉開閉槓杆を閉位置に移動することにより該扉爪によって扉爪収納部が移動し該開口部で該扉爪が掛止されなければ、電気機器の制御基板から可動鉄芯吸引型電磁石を励磁制御し可動鉄芯を吸引させようとしても、掛止本体が移動しないと共に扉爪収納部が掛止されないことを特徴とする請求項１記載の電気機器箱体の扉用扉爪掛止装置。
【請求項３】
扉爪の掛止中に、押棒が押釦部を押すことを中止すれば、電気機器の仕事の完了後と同様に、電気機器の制御基板から可動鉄芯吸引型電磁石が励磁制御され、そして該可動鉄芯が吸引されることによりハートカムを有する掛止本体が移動し、掛止ピンがハートカムから開放されると共に該掛止本体が該扉爪収納部を開放して扉爪の挿脱を可能とすることを特徴とする請求項１記載の電気機器箱体の扉用扉爪掛止装置。
【請求項４】
扉爪の掛止中に、紐類を引っ張れば、手動解除槓杆に挿通された掛止ピンがハートカムから直接外れて、掛止本体が該扉爪収納部を開放して扉爪の挿脱を可能とすることを特徴とする請求項１記載の電気機器箱体の扉用扉爪掛止装置。
【発明の詳細な説明】
【０００１】
【発明の属する技術分野】
本発明は、電気機器（例えば、全自動洗濯機、食器洗い乾燥機等の家庭用電気機器、又は業務用冷蔵庫、業務用冷凍庫等の業務用電気機器、又はインターロック式扉開閉器等）箱体の扉の扉爪を電磁掛止する扉爪掛止装置に係るものであり、詳しくは停電時、通電時及び誤使用時の安全が確保できる電気機器箱体の扉用扉爪掛止装置の改善に関する。
【０００２】
【従来の技術】
従来、例えば、扉開閉槓杆と、該扉開閉槓杆に連動する扉爪と、からなる全自動洗濯機扉箱体の扉の扉爪を掛止するために設けられた扉爪掛止装置は、例えば、特開平１０−２７２２９３号公報、特開平１０−２８６３９４号公報等で開示されているように、機能（機構）的には、扉の扉爪が掛止できる電磁式扉爪掛止機構と、電磁式掛止機構の手動掛止解除機構と、からなることを特徴とし、特に扉の開閉等を検出する扉開閉検出機構等が設けられているものではなかった。
又、該扉爪掛止機構に連動する開閉器（大電流が開閉できるスイッチ類等）等を手動解除できるものではなかった。
【０００３】
【発明が解決しようとする課題】
しかしながら、子供の悪戯等で電気機器箱体の内部（例えば、全自動洗濯機の場合は洗濯槽、食器洗い乾燥機の場合は洗い槽、冷蔵庫の場合は庫内）に、人及び動物が入ってしまった場合等の誤使用時には、該内部に閉じ込められた人及び動物が電気機器箱体の扉を押しても、電気機器の動作等を緊急停止させることができないという問題点があった。
【０００４】
本発明は、従来の技術の有するこのような問題点を鑑みてなされたものであり、その目的とするところは、停電時、通電時及び誤使用時の安全が確保でき、電気機器の動作等を緊急停止させることが可能な電気機器箱体の扉用扉爪掛止装置を提供しようとするものである。
【０００５】
【課題を解決するための手段】
上記目的を達成するために、先ず、電気機器の扉には、扉開閉槓杆と、該扉開閉槓杆に連動する扉爪と、該扉爪よりも扉の中央寄り側に配置されるように凸起している押棒と、を設ける。
そして、本発明の電気機器箱体の扉用扉爪掛止装置は、概略的には、扉の扉爪が挿脱及び掛止できる電磁式扉爪掛止機構と、該電磁式扉爪掛止機構の手動掛止解除機構と、押棒の挿脱を検出する扉開閉検出機構と、からなることを特徴とし、十分な効果を得るために、扉開閉検出機構が電磁式扉爪掛止機構よりも電気機器箱体の扉の中央寄り側に配置されるように、電気機器箱体の扉用扉爪掛止装置内に配設したことを特徴とする。
そして、停電時又は通電時であっても、扉の扉爪が電磁式扉爪掛止機構に挿入されていなければ、電磁式扉爪掛止機構の電磁部を励磁しても、電磁式扉爪掛止機構の掛止本体が作動しないと共に手動掛止解除機構が作動しないことを特徴とする。
さらに、通電中に急に停電になってしまって、扉の扉爪が電磁式扉爪掛止機構により掛止中であっても、手動掛止解除機構を引っ張れば、電磁式扉爪掛止機構の掛止本体が解除されることを特徴とする。
【０００６】
又、本発明の電気機器箱体の扉用扉爪掛止装置は、構成（ハード）的には、扉の扉爪が挿脱及び掛止できる開口部を有する上部小箱と、以下の部品等を収納する下部小箱と、該扉爪の挿脱により摺動する扉爪収納部と、該扉爪収納部を常時弾発付勢している圧縮渦巻発条（Ａ）と、該扉爪収納部を掛止しハートカムを有する掛止本体と、該掛止本体のハートカムの定位置で掛止又は開放できる掛止ピンと、該掛止ピンを常時弾発付勢している板バネと、該掛止本体に連結する可動鉄芯と、該掛止本体を常時弾発付勢している圧縮渦巻発条（Ｂ）と、固定鉄芯を有する可動鉄芯吸引型電磁石と、該掛止本体の摺動に連動する吸引確認用転換器と、該押棒で押される押釦部と、該押釦部を常時弾発付勢している圧縮渦巻発条（Ｃ）と、該押釦部の移動に連動する弾発横杆部と、該弾発横杆部に連動する開閉器と、該掛止ピンの手動解除槓杆と、該手動解除槓杆を常時弾発付勢している圧縮渦巻発条（Ｄ）と、該手動解除槓杆に結ばれた紐類と、からなることを特徴とし、十分な効果を得るために、押釦部が開口部よりも電気機器箱体の扉の中央寄り側に配置されるように、電気機器箱体の扉用扉爪掛止装置内に配設したことを特徴とする。
【０００７】
又、本発明の電気機器箱体の扉用扉爪掛止装置は、作用（ソフト）的には、扉を閉めることにより該扉爪が開口部に入り、該扉開閉槓杆を閉位置に移動することにより該扉爪によって扉爪収納部が移動し該開口部で該扉爪が掛止され、又扉を閉めることにより該押棒が押釦部を押し、そして該押釦部に連動する開閉器が、例えば、ＯＦＦからＯＮになり、該ＯＮが電気機器の制御基板に送信継続し、かつ電気機器の仕事の開始受付時は該制御基板から可動鉄芯吸引型電磁石が励磁制御され、そして該可動鉄芯が吸引されることによりハートカムを有する掛止本体が移動し、紐類が結ばれた手動解除槓杆に挿通された掛止ピンが該ハートカムの定位置で掛止されると共に該掛止本体が該扉爪収納部を掛止して該扉爪の挿脱を不可能とし、又該掛止本体の移動に連動する吸引確認用転換器が、例えば、ＯＦＦからＯＮになり、該ＯＮが該制御基板に送信されることにより該制御基板から該可動鉄芯吸引型電磁石が消磁制御され、そして電気機器の仕事の完了後は該制御基板から再度該可動鉄芯吸引型電磁石が励磁制御され、そして該可動鉄芯が吸引されることによりハートカムを有する掛止本体が移動し、該掛止ピンがハートカムから開放されると共に該掛止本体が該扉爪収納部を開放して該扉爪の挿脱を可能とし、又該掛止本体の移動に連動する吸引確認用転換器が該ＯＮからＯＦＦになり、該ＯＦＦが該制御基板に送信されることにより該制御基板から該可動鉄芯吸引型電磁石が消磁制御されることを特徴とする。
又、停電時又は通電時であっても、扉を閉めることにより扉爪が開口部に入り、扉開閉槓杆を閉位置に移動することにより該扉爪によって扉爪収納部が移動し該開口部で該扉爪が掛止されなければ、電気機器の制御基板から可動鉄芯吸引型電磁石を励磁制御し可動鉄芯を吸引させようとしても、掛止本体が移動しないと共に扉爪収納部が掛止されないことを特徴とする。
そして、通電時の誤使用時においては、扉爪の掛止中に、押棒が押釦部を押すことを中止すれば、電気機器の仕事の完了後と同様に、電気機器の制御基板から可動鉄芯吸引型電磁石が励磁制御され、そして該可動鉄芯が吸引されることによりハートカムを有する掛止本体が移動し、掛止ピンがハートカムから開放されると共に該掛止本体が該扉爪収納部を開放して扉爪の挿脱を可能とすることを特徴とする。
さらに、通電中に急に停電になってしまって、扉爪の掛止中に、紐類を引っ張れば、手動解除槓杆に挿通された掛止ピンがハートカムから直接外れて、掛止本体が該扉爪収納部を開放して扉爪の挿脱を可能とすることを特徴とする。
【０００８】
【発明の実施の形態】
発明の実施の形態について図面を参照して説明する。
図１３は一実施例の電気機器１００箱体の斜視図である。
先ず、本発明の一実施例の電気機器箱体の扉用扉爪掛止装置１０の十分な効果を得るために、電気機器１００の扉１０１には、扉開閉槓杆１０４と、該扉開閉槓杆１０４に連動する扉爪１０２と、該扉爪１０２よりも扉１０１の中央寄り側に配置されるように凸起している押棒１０３（形状、寸法等は特に問わない。）と、等を設置することが望ましい。
【０００９】
図１は本発明の一実施例の電気機器箱体の扉用扉爪掛止装置１０の正面図であり、図２は図１の平面図、図３は図１の底面図、図４は図１の右側面図、図５は図１の左側面図、図６は図１の裏面図である。
又、図７は図１から上部小箱２０を外した状態（扉開時）の正面図である。
本発明の一実施例の電気機器箱体の扉用扉爪掛止装置１０は、該扉爪１０２が挿脱及び掛止できる開口部２１を有する上部小箱２０（例えば、ＡＢＳ樹脂）と、以下の部品等を収納する下部小箱３０（例えば、ＡＢＳ樹脂）と、該開口部２１に設けられた扉爪掛止用の指挿入防止爪２２と、該扉爪１０２の挿脱により摺動する扉爪収納部３１と、該扉爪収納部３１を常時弾発付勢している圧縮渦巻発条（Ａ）３２（例えば、ステンレススチール線）と、該扉爪収納部３１を掛止しハートカム４１を有する掛止本体４０（例えば、ＡＢＳ樹脂）と、該掛止本体４０のハートカム４１の定位置で掛止又は開放できる掛止ピン４２（例えば、ステンレススチール線）と、該掛止ピン４２を常時弾発付勢している板バネ４３（例えば、燐青銅板）と、該掛止本体４０に連結する可動鉄芯５１（例えば、ステンレススチール）と、該掛止本体４０を常時弾発付勢している圧縮渦巻発条（Ｂ）５２（例えば、ステンレススチール線）と、固定鉄芯５３を有する可動鉄芯吸引型電磁石５０と、該掛止本体４０の摺動に連動する吸引確認用転換器６０（例えば、マイクロスイッチ、片切スイッチ、両切スイッチ、点滅器）と、該押棒１０３で押される押釦部７０（例えば、ＡＢＳ樹脂）と、該押釦部７０を常時弾発付勢している圧縮渦巻発条（Ｃ）７１（例えば、ステンレススチール線）と、該押釦部７０の移動に連動する弾発横杆部７２（例えば、ステンレススチール板）と、該弾発横杆部７２に連動する開閉器７３（例えば、マイクロスイッチ、片切スイッチ、両切スイッチ、点滅器）と、該掛止ピン４２の手動解除槓杆８０（例えば、ＡＢＳ樹脂）と、該手動解除槓杆８０を常時弾発付勢している圧縮渦巻発条（Ｄ）８１（例えば、ステンレススチール線）と、該手動解除槓杆に結ばれた紐類８２と、からなる。
【００１０】
ここで、扉爪１０２が挿脱及び掛止できる電磁式扉爪掛止機構の主要構成（部品）は、開口部２１（上部小箱２０）と、扉爪収納部３１と、掛止本体４０（ハートカム４１）と、掛止ピン４２と、可動鉄芯５１と、可動鉄芯吸引型電磁石５０と、等である。
又、電磁式扉爪掛止機構の手動掛止解除機構の主要構成（部品）は、手動解除槓杆８０と、紐類８２と、等である。
そして、押棒１０３の挿脱を検出する扉開閉検出機構の主要構成（部品）は、押釦部７０と、弾発横杆部７２と、開閉器７３と、等である。
【００１１】
尚、本発明の一実施例の電気機器箱体の扉用扉爪掛止装置１０においては、例えば、図７の正面図のように、掛止本体４０の摺動に連動する吸引確認用転換器６０を下部に設け、押釦部７０及び開閉器７３を上部に設けた（押棒１０３を扉１０１の中央寄り側に設けた方が、扉の内部から扉を押した時に、扉の僅かな歪みで扉開閉検出が行える。又、扉爪１０２と押棒１０３とを近設することができる。）が、掛止本体４０の摺動に連動する吸引確認用転換器６０を上部に設け、押釦部７０及び開閉器７３を下部に設けても良い。（扉爪１０２と押棒１０３とを隔離して配置したい場合などは有利である。）
【００１２】
図１２は掛止本体４０と可動鉄芯吸引型電磁石５０との作動状態を説明するための部分断面底面図である。
一実施例としての可動鉄芯吸引型電磁石５０は、銅線を円筒状のボビンに巻いて端子片５４に接続し電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止し、該ボビン内部に固定鉄芯５３を設け、可動鉄芯吸引型電磁石５０外周部に該固定鉄芯５３を嵌着した継鉄５９を囲繞したものである。
又、吸引作動時における固定鉄芯５３と可動鉄芯５１との衝突音を緩衝させるために、可動鉄芯５１に凹溝５５を設け、軟質板５６（例えば、ゴム板）を貼付けたＥリング５７を環装させて、ほとんど無音にしているが、これは公知技術であるし、他の方法を用いても良い。
尚、該掛止本体４０のＵ字状溝４４に可動鉄芯５１が差し込まれて連結されているだけなので、両者間には若干の間隙があり、そこから発生する衝撃音が気になる場合は衝撃吸収材４５（例えば、発砲ウレタン、スポンジ、軟質板等）を挿入しても良い。
又、該掛止本体４０と下部小箱３０と衝撃音が気になる場合は、該掛止本体４０に掛止本体停止杆４７等を設け、又該掛止本体停止杆４７と該下部小箱３０との間には若干の間隙（スリット、溝）４８を設けると良い。（例えば、特願平１０−１７９８７９号）
【００１３】
図８（ａ）は図７の状態から扉閉時（扉爪収納部３１が移動し、押釦部７０が押されていることを仮定した状態）になった状態の正面図であり、図８（ｂ）は掛止本体４０と手動解除槓杆部８０と可動鉄芯吸引型電磁石部５０との作動状態を説明するための部分裏面図（一部断面図）である。
本発明の一実施例の電気機器箱体の扉用扉爪掛止装置１０は、作用的には、電気機器１００の扉１０１を閉めることにより、該扉爪１０２が開口部２１に入り、該扉開閉槓杆１０４を閉位置に移動することにより、該扉爪１０２によって扉爪収納部３１が移動し、該開口部２１で該扉爪１０２が掛止される。
前記のように、該開口部２１で該扉爪１０２が掛止されなければ、電気機器の制御基板から可動鉄芯吸引型電磁石５０を励磁制御し、可動鉄芯５１を吸引させようとしても、掛止本体４０が移動しないと共に扉爪収納部３１が掛止されないようになっている。
又、電気機器１００の扉１０１を閉めることにより、押棒１０３が押釦部７０を押し、そして該押釦部７０に連動する開閉器７３が、例えば、ＯＦＦからＯＮ（ＯＮからＯＦＦでも良い。ＯＮは開閉器の一方の接点又は接片と、他方の接点又は接片と、が圧接している状態で電気的ＯＮ状態を示し、ＯＦＦは開閉器の一方の接点又は接片と、他方の接点又は接片と、が隔離している状態で電気的ＯＦＦ状態を示す。）になり、開閉器端子片７４に接続されたリード線等で該ＯＮが電気機器１００の制御基板に送信継続する。
尚、該開閉器７３の該ＯＮが電気機器１００の制御基板に送信されなければ、次の操作（処理）等に移行しないようになっている。
【００１４】
ところで、該開閉器７３の代替として、例えば、該押釦部７０に磁石を内蔵し、磁性感動素子（例えば、リードスイッチ、ホールＩＣ等）で扉の開閉を検出しても良い。又、大電流を流したい場合は半導体素子（例えば、トランジスタ、サイリスタ、トライアック、ＦＥＴ、ＭＯＳＦＥＴ、専用ＩＣ等）等で電気回路等を構成すると良い。
【００１５】
図９（ａ）は図８（ａ）の状態から扉爪掛止時になった状態の正面図であり、図９（ｂ）は掛止本体と手動解除槓杆部８０と可動鉄芯吸引型電磁石部５０との作動状態を説明するための部分裏面図（一部断面図）である。
前記の開閉器７３の該ＯＮが電気機器１００の制御基板に送信継続されている時に、電気機器１００の仕事の開始を受け付けた時（例えば、運転開始釦を押すことにより、ＬＥＤランプ等が点灯してお知らせする。）は、該制御基板から可動鉄芯吸引型電磁石５０が励磁制御され、そして該可動鉄芯５１が吸引されることにより、ハートカム４１を有する掛止本体４０が移動し、紐類８２が結ばれた手動解除槓杆８０に挿通された掛止ピン４２が該ハートカム４１の定位置で掛止されると共に該掛止本体４０の掛止本体掛止爪４６が該扉爪収納部３１を掛止して該扉爪１０２の挿脱を不可能とし、又該掛止本体４０の移動に連動する吸引確認用転換器６０が、例えば、ＯＦＦからＯＮ（ＯＮからＯＦＦでも良い。）になり、吸引確認用転換器端子片６１に接続されたリード線等で該ＯＮが該制御基板に送信されることにより、電気機器の制御基板から該可動鉄芯吸引型電磁石５０が消磁制御される。
尚、電気機器の仕事が完了していなくても、該押棒１０３が押釦部７０を押すことを中止すれば、次の操作（処理）等に移行するようになっている。
【００１６】
ところで、転換器６０の代替として、例えば、該掛止本体４０等に磁石を内蔵し、磁性感動素子（例えば、リードスイッチ、ホールＩＣ等）で可動鉄芯５１の吸引確認を検出しても良い。又、大電流を流したい場合は半導体素子（例えば、トランジスタ、サイリスタ、トライアック、ＦＥＴ、ＭＯＳＦＥＴ、専用ＩＣ等）等で電気回路等を構成すると良い。
【００１７】
電気機器の仕事の完了後は、該制御基板から再度該可動鉄芯吸引型電磁石５０が励磁制御され、そして該可動鉄芯５１が吸引されることによりハートカム４１を有する掛止本体４０が移動し、該掛止ピン４２がハートカム４１から開放されると共に該掛止本体４０が該扉爪収納部３１を開放して該扉爪１０２の挿脱を可能とし、又該掛止本体４０の移動に連動する吸引確認用転換器６０が該ＯＮからＯＦＦになり、該ＯＦＦが該制御基板に送信されることにより、電気機器の制御基板から該可動鉄芯吸引型電磁石５０が消磁制御される。
【００１８】
図１０（ａ）は図９（ａ）の状態から紐類８２を引っ張って手動掛止解除された状態の正面図であり、図１０（ｂ）は掛止本体と手動解除槓杆部８０と可動鉄芯吸引型電磁石部５０との作動状態を説明するための部分裏面図（一部断面図）である。
例えば、通電中に急に停電になってしまった場合は、紐類８２を引っ張れば、手動解除槓杆８０に挿通された掛止ピン４２がハートカム４１から直接外れて、掛止本体４０が該扉爪収納部３１を開放して扉爪１０２の挿脱を可能とする。
【００１９】
図１１（ａ）は可動鉄芯５１の往復摺動に連動して、掛止本体４０のハートカム４１部を掛止ピン４２が摺動する状態を説明するための部分拡大図である。
1)は扉開時又は扉閉時（図７又は図８参照）の定位置（復帰位置）、2)は可動鉄芯吸引型電磁石５０を励磁制御して固定鉄芯５３に可動鉄芯５１が吸引される途中に通過する或る位置、3)は該可動鉄芯５１が該固定鉄芯５３に吸引した時の定位置、4)は可動鉄芯吸引型電磁石５０を消磁制御した時（図９参照）の定位置、5)は可動鉄芯吸引型電磁石５０を再度励磁制御して固定鉄芯５３に可動鉄芯５１が吸引した時の定位置、6)は可動鉄芯吸引型電磁石５０を再度消磁制御し該可動鉄芯５１が圧縮渦巻発条（Ｂ）５２により復帰される途中に通過する或る位置、を示すものである。
【００２０】
図１１（ｂ）は手動掛止解除される時に、掛止本体４０のハートカム４１部を掛止ピン４２が摺動する状態を説明するための部分拡大図である。
1)は可動鉄芯吸引型電磁石５０を消磁制御した時（図９参照）の定位置、2)は紐類８２を引っ張っり、手動解除槓杆８０に挿通された掛止ピン４２がハートカム４１から直接外れた時（図１０参照）の定位置、3)は紐類８２を引っ張るのをやめたの定位置（復帰位置）、を示すものである。
【００２１】
本発明の電気機器箱体の扉用扉爪掛止装置においては、例えば、子供の悪戯等で電気機器の箱体の内部に、人及び動物が入ってしまった場合等の誤使用時には、該内部に閉じ込められた人及び動物が電気機器箱体の扉を押した時に、扉爪が挿脱及び掛止できる開口部を有する上部小箱を合成樹脂等で形成してあるので、或る押力で上部小箱と下部小箱とに歪みや隙間ができ易くする（この歪みや隙間のために、押棒が押釦部を押すことを中止すれば、電気機器の動作等を緊急停止させることが可能。）ことができるようにしてある。
【００２２】
電気機器箱体の扉においては、停電時、通電時及び誤使用時の安全の確保のために、例えば、窓を設けたり、扉爪を合成樹脂等で形成（或る押力で破壊することもできる。）したり、電気機器箱体の内部からの或る押力で扉に歪みや隙間ができ易くする（この歪みや隙間のために、押棒が押釦部を押すことを中止すれば、電気機器の動作等を緊急停止させることが可能。）と良い。
【００２３】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００２４】
【発明の効果】
本発明の電気機器箱体の扉用扉爪掛止装置においては、停電時、通電時及び誤使用時の安全が確保でき、電気機器の動作等を緊急停止させることが可能であるという効果を奏する。
【図面の簡単な説明】
【図１】本発明の一実施例の電気機器箱体の扉用扉爪掛止装置の正面図である。
【図２】本発明の一実施例の電気機器箱体の扉用扉爪掛止装置の平面図である。
【図３】本発明の一実施例の電気機器箱体の扉用扉爪掛止装置の底面図である。
【図４】本発明の一実施例の電気機器箱体の扉用扉爪掛止装置の右側面図である。
【図５】本発明の一実施例の電気機器箱体の扉用扉爪掛止装置の左側面図である。
【図６】本発明の一実施例の電気機器箱体の扉用扉爪掛止装置の裏面図である。
【図７】図１から上部小箱を外した状態（扉開時）の正面図である。
【図８】図７の状態から扉閉時（扉爪収納部が移動し、押釦部が押されていることを仮定した状態）になった状態の正面図と、掛止本体と手動解除槓杆部と可動鉄芯吸引型電磁石部との作動状態を説明するための部分裏面図（一部断面図）である。
【図９】図８の状態から扉爪掛止時になった状態の正面図と、掛止本体と手動解除槓杆部と可動鉄芯吸引型電磁石部との作動状態を説明するための部分裏面図（一部断面図）である。
【図１０】図９の状態から紐類を引っ張って手動掛止解除された状態の正面図と、掛止本体と手動解除槓杆部と可動鉄芯吸引型電磁石部との作動状態を説明するための部分裏面図（一部断面図）である。
【図１１】  掛止本体のハートカム部を掛止ピンが摺動する状態を説明するための部分拡大図である。
【図１２】掛止本体と可動鉄芯吸引型電磁石との作動状態を説明するための部分断面底面図である。
【図１３】一実施例の電気機器箱体の斜視図である。
【符号の説明】
１０…扉爪掛止装置、２０…上部小箱、２１…開口部、２２…指挿入防止爪、３０…下部小箱、３１…扉爪収納部、３２…圧縮渦巻発条（Ａ）、４０…掛止本体、４１…ハートカム、４２…掛止ピン、４３…板バネ、４４…Ｕ字状溝、４５…衝撃吸収材、４６…掛止本体掛止爪、４７…掛止本体停止杆、４８…間隙、５０…可動鉄芯吸引型電磁石、５１…可動鉄芯、５２…圧縮渦巻発条（Ｂ）、５３…固定鉄芯、５４…可動鉄芯吸引型電磁石端子片、５５…可動鉄芯の凹溝、５６…軟質板、５７…Ｅリング、５９…継鉄、６０…転換器、６１…転換器端子片、７０…押釦部、７１…圧縮渦巻発条（Ｃ）、７２…弾発横杆部、７３…開閉器、７４…開閉器端子片、８０…手動解除槓杆、８１…圧縮渦巻発条（Ｄ）、８２…紐類、８３…手動解除槓杆掛止爪、１００…電気機器、１０１…扉、１０２…扉爪、１０３…押棒、１０４…扉開閉槓杆
【図１】
0003736730.tif 000002
【図２】
0003736730.tif 000003
【図３】
0003736730.tif 000004
【図４】
0003736730.tif 000005
【図５】
0003736730.tif 000006
【図６】
0003736730.tif 000007
【図７】
0003736730.tif 000008
【図８】
0003736730.tif 000009
【図９】
0003736730.tif 000010
【図１０】
0003736730.tif 000011
【図１１】
0003736730.tif 000012
【図１２】
0003736730.tif 000013
【図１３】
0003736730.tif 000014